(57)【要約】【課題】ＰＣカードやメモリカード又はエキスプレス・カード等のカード対応電子機器において、カードをカード対応電子機器のスロットに挿入したままでも簡単に省電力化を図れる方法と、その装置及び省電力化機能を持つカードを提供することを課題とするものである。【解決手段】メモリカードＭＣを装着するスロット２を設けたノート・パソコン１に、CD＃信号を用いたカード挿入検出信号回路におけるスロット２の＋V端子Ｐ１と＋V電源間にオン・オフスイッチＳ１を設け、該オン・オフスイッチＳ１を省電力化時にオフにしてカード対応電子機器の省電力化を図る。【選択図】図２
2006178606.tif 000002
【特許請求の範囲】
【請求項１】
カード対応電子機器にCD＃信号、CPUSB＃信号、CPPE＃信号等を用いたカード挿入検出信号回路のオン・オフスイッチを設け、該オン・オフスイッチを省電力化時にオフにすることを特徴とするカード対応電子機器の省電力方法。
【請求項２】
ＰＣカード、メモリカード、エキスプレス・カード等のカードにCD＃信号、CPUSB＃信号、CPPE＃信号等を用いたカード挿入検出信号回路のオン・オフスイッチを設け、該オン・オフスイッチを省電力化時にオフにすることを特徴とするカード対応電子機器の省電力方法。
【請求項３】
ＰＣカード又はエキスプレス・カードにメモリカード用コネクタを設け、該コネクタに設けた前記メモリカード用カード挿入検出信号回路と前記ＰＣカード又はエキスプレス・カード用カード挿入検出信号回路を兼用にし、省電力化時にメモリカードを前記コネクタから抜くことを特徴とするカード対応電子機器の省電力方法。
【請求項４】
CD＃信号、CPUSB＃信号、CPPE＃信号等を用いたカード挿入検出信号回路のオン・オフスイッチを設けたことを特徴とする省電力化機能付カード対応電子機器。
【請求項５】
CD＃信号、CPUSB＃信号、CPPE＃信号等を用いたカード挿入検出信号回路のオン・オフスイッチを設けたことを特徴とするカード対応電子機器の省電力化機能付カード。
【発明の詳細な説明】
【技術分野】
【０００１】
本発明は、現在一般に使われているメモリカードや、ＰＣカード（モデムカード、ＬＡＮカード、カード状アダプター等）或いは昨年Ｉ／Ｆの新しい規格としてＰＣＭＣＩＡ（Personal Computer Memory Card International Association）が提案したエキスプレス・カード（Express CARD TM）等のカード対応電子機器の省電力方法と、その実施装置並びに、そのカード対応電子機器に使用される省電力化機能を持つカード、即ちメモリカードやエキスプレス・カードに関するものである。
【背景技術】
【０００２】
現在一般に使用されているメモリカードは、カード挿入検出用信号として、ＣＤ＃信号が設定され、この信号が（０＝GND）の時のみメモリカードへ電源が供給される仕様になっている。
【０００３】
また、昨年Ｉ／Ｆの新しい規格として、ＰＣＭＣＩＡから提案されたエキスプレス・カードでは、新たにカード挿入検出用信号としてCPUSB♯、CPPE♯信号が設定され、この信号が（０＝GND）の時のみエキスプレス・カードへ電源が供給される仕様になっている。すなわち、（１＝Open:HOST側でPull-up）の時は、電源は供給されない仕様になっている。
【０００４】
従って通常、メモリカードは、CD＃信号を（０＝GND）になるように構成されており、エキスプレス・カードは、CPUSB＃信号又は、CPPE＃信号を（０＝GND）にするように設計することになるので、その結果、カードをメモリカード・スロット又はエキスプレス・カード・スロットに挿入している間は、常に、カードへ電源が供給され、カード対応電子機器の電源が消費され続ける。
【０００５】
例えば、メモリカードＭＣの場合は、図１に示すように、カード対応電子機器のスロットに設けられたコネクタCD＃信号ピンとＧＮＤピンに接合するピン間を短絡する短絡回路aを設けてメモリカードＭＣをスロットに挿入した時、それを検出してカード対応電子機器から図示しない電源供給回路を介してメモリカードＭＣへ電源が供給されるようになっている。
【０００６】
そのため、ＰＣカードやメモリカード又はエキスプレス・カード等のカードを対応電子機器、すなわちノート・パソコンやプリンタ等で使用する場合に、通常、カードを使用しない場合でも挿入状態で対応電子機器を使用する消費電力が流れ続けることになる。従ってこの消費電流を抑える為には、現状では、カード使用時以外は、カードをスロットから抜く必要がある。
【非特許文献１】平成１１年１２月１日  CQ出版社発行  「Interface」１９９９年  １２月号  ５２頁〜１３１頁
【非特許文献２】２００３年１２月  PCMCIA発行  Express CARD TM Standard Release 1.0(Document NO.1203-01-1500)
【発明の開示】
【発明が解決しようとする課題】
【０００７】
そこで本発明は、ＰＣカードやメモリカード又はエキスプレス・カード等のカード対応電子機器において、カードをカード対応電子機器のスロットに挿入したままでも簡単に省電力化を図れる方法と、その装置及び省電力化機能を持つカードを提供することを課題とするものである。
【課題を解決するための手段】
【０００８】
本発明は上記の課題を解決するためになされたもので、第１の発明は、カード対応電子機器にCD＃信号、CPUSB＃信号、CPPE＃信号等を用いたカード挿入検出信号回路のオン・オフスイッチを設け、該オン・オフスイッチを省電力化時にオフにすることを特徴とするカード対応電子機器の省電力方法である。
【０００９】
第２の発明は、ＰＣカード、メモリカード、エキスプレス・カード等のカードにCD＃信号、CPUSB＃信号、CPPE＃信号等を用いたカード挿入検出信号回路のオン・オフスイッチを設け、該オン・オフスイッチを省電力化時にオフにすることを特徴とするカード対応電子機器の省電力方法である。
【００１０】
第３の発明は、ＰＣカード又はエキスプレス・カードにメモリカード用コネクタを設け、該コネクタに設けた前記メモリカード用カード挿入検出信号回路と前記ＰＣカード又はエキスプレス・カード用カード挿入検出信号回路を兼用にし、省電力化時にメモリカードを前記コネクタから抜くことを特徴とするカード対応電子機器の省電力方法である。
【００１１】
第４の発明は、CD＃信号、CPUSB＃信号、CPPE＃信号等を用いたカード挿入検出信号回路のオン・オフスイッチを設けたことを特徴とする省電力化機能付カード対応電子機器である。
【００１２】
第５の発明は、CD＃信号、CPUSB＃信号、CPPE＃信号等を用いたカード挿入検出信号回路のオン・オフスイッチを設けたことを特徴とするカード対応電子機器の省電力化機能付カードである。
【発明の効果】
【００１３】
第１の発明にかかる方法によると、カード対応電子機器に設けたオン・オフスイッチをオフとすれば、挿入カードへの電力の供給が遮断されるので、カードを利用しない場合のカード対応電子機器の省電力化を図ることができる。
【００１４】
また、第２の発明にかかる方法によると、ＰＣカード、メモリカード、エキスプレス・カード等のカードに電力を供給する電源が遮断されるので、カードを利用しない場合のカード対応電子機器の省電力化を図ることができる。
【００１５】
また、第３の発明にかかる方法によると、メモリカードをカード対応電子機器のスロットに挿入したカードを抜かなくても、該カードのコネクタに接続したメモリカードをコネクタから抜くことにより、カード挿入検出信号回路が、オフ状態となるためカード対応電子機器の省電力化を図ることができる。
【００１６】
第４の発明によると、メモリカード、ＰＣカード、エキスプレス・カード等のカードをスロットに挿入したまま、オン・オフスイッチをオフにすることにより、カード不使用時におけるカード対応電子機器の省電力化を図ることができる。
【００１７】
第５の発明によると、メモリカード、ＰＣカード、エキスプレス・カード等のカードをカード対応電子機器のスロットに挿入したまま、カード不使用時におけるカード対応電子機器の省電力化を図ることができる。
【実施例１】
【００１８】
図２は第１の発明の実施例を示すもので、ＭＣは公知のメモリカード、１はカード対応電子機器、例えば、ノート・パソコンであり、カード対応電子機器１に設けたカード挿入検出信号回路にオン・オフスイッチＳ１又はＳ２を設けたものである。
【００１９】
オン・オフスイッチＳ１，Ｓ２には、超小型のオルタネイトタイプのプッシュオンスイッチ（位置保持型、プッシュオン・ブッシュオフ型）が好ましい。そしてオン・オフスイッチは、実線図示のように、スロット２の＋V端子Ｐ１と＋V電源間に設けてもよいし、あるいは点線図示のようにスロット２のGND端子Ｐ２とGND電源間に設けてもよい。
【００２０】
この構造によると、オン・オフスイッチＳ１又はＳ２をオフにすることにより、CD＃信号を使ったカード挿入検出回路は遮断されるので、メモリカードＭＣを利用しない場合、メモリカードＭＣをスロット２に挿入したままでも図示しない電源回路を介してメモリカードＭＣには電力を供給しないので、カード対応電子機器１の省電力を図ることができる。
【実施例２】
【００２１】
図３は第２の発明の実施例を示すもので、この場合は、メモリカードＭＣ’に図２に示す公知のメモリカードＭＣのように短絡回路aを設けてカード挿入検出回路を短絡状態とせずに、オン・オフスイッチＳ３を設け、このオン・オフスイッチＳ３により、カード挿入検出回路をオフとする機能を持たせたものである。すなわちこのような機能を持つオン・オフスイッチＳ３をメモリカードＭＣ’に設けておくことにより、オン・オフスイッチにしてメモリカード不使用時にメモリカードＭＣ’へは電力が供給されない状態とし、カード対応電子機器１の省電力を図るものようにしたのである。
【００２２】
図４は、第２の発明をメモリカードＭＣのコネクタ４を備えたエキスプレス・カードＥＣに適用した場合の実施例の平面図で、Ｓ４は、オン・オフスイッチである。
【００２３】
図５は、図４に示したエキスプレス・カードＥＣの主要部の概略回路構成を示す電子回路図で、Ｓ４はCPUSB＃信号を用いるカード挿入検出回路のオン・オフスイッチ、３はカード制御回路である。なお、１’はエキスプレス・カード対応のスロット２’を設けたノート・パソコン（カード対応電子機器）である。
【００２４】
図５において、エキスプレス・カードＥＣをノート・パソコン１’のスロット２’に挿入後、CPUSB＃信号又は、CPPE＃信号が（０＝GND）の場合には、電源がエキスプレス・カードＥＣに供給される。（実施例はCPUSB＃信号の場合）オン・オフスイッチＳ４をオフにすると、CPUSB＃信号は（１＝OPEN）になり、エキスプレス・カードＥＣをスロット２’に挿入したままでも、スロット２’からの電源をカード制御回路３へ供給しない状態とすることができる。
【００２５】
なお、カード制御回路３は電源が供給されている間、メモリカードＭＣのCD信号を監視していて、メモリカードＭＣがコネクタ４に挿入された時、それを検出してスイッチFETをオンにし、メモリカードＭＣに電源を供給する。又、メモリカードＭＣがコネクタ４から抜かれると、スイッチFETをオフにし、メモリカードＭＣの電源を止める。
【００２６】
以上のように、図５の実施例の場合、エキスプレス・カードＥＣをノート・パソコン１’のスロット２’に挿入したままの状態で、オン・オフスイッチＳ４をオフにすると、カード挿入検出信号回路はオフとなるため、カード制御回路３には電力は供給されない状態となるから、ノート・パソコン１’省電力を図ることが出来る。
【００２７】
図６は第３の発明の実施例を示すもので、図５に示した実施例がエキスプレス・カードＥＣにオン・オフスイッチＳ４を設けてカード対応電子機器１’の省電力を図るようにしたものであるのに対し、オン・オフスイッチＳ４を設けずに、メモリカードＭＣのコネクタ４への抜き挿しにより、カード対応電子機器のカード挿入検出信号回路のオン・オフが行われるようにしたのである。
【００２８】
すなわち、メモリカード用コネクタ４を設けたエキスプレス・カードＥＣにおいて、メモリカードＭＣに対するカード挿入検出信号回路とエキスプレス・カード挿入検出信号回路を兼用にして、メモリカードＭＣをメモリカード用コネクタ４に抜き挿しすることにより、カード対応電子機器、すなわちノート・パソコン１’のカード挿入検出信号回路のオン・オフを行うようにして、エキスプレス・カードＥＣへの電源の供給を遮断可能としたものである。
【００２９】
以上、ここでは本発明をメモリカードＭＣとエキスプレス・カードＥＣに適用した場合の実施例について例示したが、モデムカード、ＬＡＮカード、カード状アダプター等に適用し得る事は勿論である。
【図面の簡単な説明】
【００３０】
【図１】公知のメモリカード挿入検出信号回路の説明図。
【図２】第１の発明の実施例の主要部の概略回路構成を示す電気回路図。
【図３】第２の発明の実施例の主要部の概略回路構成を示す電気回路図。
【図４】第２の発明の実施例におけるエキスプレス・カードの平面図。
【図５】第２の発明の異なる実施例の主要部の概略回路構成を示す電気回路図。
【図６】第３の発明の実施例の主要部の概略回路構成を示す電気回路図。
【符号の説明】
【００３１】
ＭＣ、ＭＣ’  メモリカード
１            ノート・パソコン
２            スロット
Ｓ１〜Ｓ４    オン・オフスイッチ
ＥＣ          エキスプレスカード
３            カード制御回路
４            コネクタ
【図１】
2006178606.tif 000003
【図２】
2006178606.tif 000004
【図３】
2006178606.tif 000005
【図４】
2006178606.tif 000006
【図５】
2006178606.tif 000007
【図６】
2006178606.tif 000008